(57)【要約】【構成】  読み取り画像の集約コピーなど複数の画像を集約して出力する場合に、集約条件に対応するテンプレートにはめ込んだ縮小画像を表示する。ユーザは、画面上をＤ＆Ｄして縮小画像を並べ替えできる。【効果】  ユーザは出力前に集約状態を確認して、縮小画像の配置を並べ替えることができるので、所望の配置で集約コピーをプリントなどできる。また無駄な出力が減少する。【選択図】    図５
2010161679.tif 000002
【特許請求の範囲】
【請求項１】
画像を取得する画像取得部と、画像を記憶する画像記憶部と、該記憶された画像から表示画像を生成する画像生成部と、生成した画像を表示する表示部とタッチ位置の入力を受け付ける入力部とを設けたタッチパネルと、を備えた画像処理装置において、
取得した画像を集約するための集約条件の指示を受け付ける指示受付部を設け、
前記指示された集約条件に従い前記記憶する複数の画像を縮小して集約した集約状態の画像を、前記画像生成部で作成して前記表示部に表示し、
前記表示した集約状態の画像上でユーザがドラッグ アンド ドロップした場合に、前記タッチパネルの入力部は、ドラッグ位置とドロップ位置とを取得し、  
前記ドラッグ位置の領域に表示する画像を前記ドロップ位置の領域に移動すると共に、前記ドロップ位置の領域に表示する画像を前記ドラッグ位置の領域に移動して、２つの画像を入れ替えた後の入れ替え画像を生成し表示するように構成した、画像処理装置。
【請求項２】
前記集約条件毎のテンプレートをあらかじめ記憶しておき、
ユーザが指示する集約条件を受け付けて、指示された集約条件に対するテンプレートを前記表示部に表示すると共に、前記取得部で画像を取得する毎に該画像を前記テンプレートにはめ込んで前記集約状態の画像を生成して表示するように構成した、請求項１に記載の画像処理装置。
【請求項３】
前記表示部には、前記取得部で取得した画像を縮小したサムネイル画像を表示するためのサムネイル表示領域を設け、
ユーザが指示する集約条件を受け付けて、指示された集約条件のテンプレートを前記表示部に表示すると共に、
前記サムネイル表示領域に表示したサムネイル画像へのユーザの選択を受け付ける画像選択部を設けて、
前記画像選択部で選択された画像を前記テンプレートにはめ込んで、前記集約状態の画像を生成して表示するように構成した、請求項１に記載の画像処理装置。
【請求項４】
前記指示受付部が集約条件の変更を受け付けると、変更後の集約条件に従って集約状態の画像を生成して表示するように構成した、請求項１〜４に記載のいずれかの画像処理装置。
【請求項５】
画像を取得する画像取得部と、画像を記憶する画像記憶部と、該記憶された画像から表示画像を生成する画像生成部と、生成した画像を表示する表示部とタッチ位置の入力を受け付ける入力部とを設けたタッチパネルと、を備えた画像処理装置のプログラムにおいて、
前記画像処理装置に、
取得した画像を集約するための集約条件の指示を受け付ける機能と、
前記指示された集約条件に従い、前記記憶する複数の画像を集約した集約状態の画像を、前記画像生成部で作成して前記表示部に表示する機能と、
前記表示した集約状態の画像上でユーザがドラッグ アンド ドロップした場合に、前記タッチパネルの入力部は、ドラッグ位置とドロップ位置とを取得する機能と、  
前記ドラッグ位置の領域に表示する画像を前記ドロップ位置の領域に移動すると共に、前記ドロップ位置の領域に表示する画像を前記ドラッグ位置の領域に移動して、２つの画像を入れ替えた後の入れ替え画像を生成し表示する機能と、を実行させる画像処理装置のプログラム
【発明の詳細な説明】
【技術分野】
【０００１】
この発明は、画像処理装置とそのプログラムとに関し、特に複数の画像を集約コピーする場合の画像の配置を、ＬＣＤ（Liquid Crystal Display）などのモニタのプレビュー画面上で並べ替えることに関する。
【背景技術】
【０００２】
入力データを入力プレビューウインドウから出力形態プレビューウインドウにドラッグ アンド ドロップ（Ｄ＆Ｄ）して、出力前に出力結果をプレビューウインドウに表示することは、知られている（特開２００８−１８１２７２）。
しかし、複数の画像を１枚の用紙にまとめて出力する集約コピー時に、画像の内容を見ながら集約する画像の順序をＤ＆Ｄして並び替えることについては、検討されていない。
【先行技術文献】
【特許文献】
【０００３】
【特許文献１】特開２００８−１８１２７２
【発明の概要】
【発明が解決しようとする課題】
【０００４】
この発明の課題は、複数の画像を集約して出力する例えば集約コピーの出力前に、プレビュー画面を用いてページの並び替えを容易に行うことにある。
【課題を解決するための手段】
【０００５】
この発明の画像処理装置は、画像を取得する画像取得部と、画像を記憶する画像記憶部と、該記憶された画像から表示画像を生成する画像生成部と、生成した画像を表示する表示部とタッチ位置の入力を受け付ける入力部とを設けたタッチパネルと、を備えた画像処理装置において、集約コピーの集約条件の指示を受け付ける指示受付部を設け、前記指示された集約条件に従い前記記憶する複数の画像を縮小して集約した集約状態の画像を、前記画像生成部で作成して前記表示部に表示し、前記表示した集約状態の画像上でユーザがドラッグ アンド ドロップした場合に、前記タッチパネルの入力部は、ドラッグ位置とドロップ位置とを取得し、前記ドラッグ位置の領域に表示する画像を前記ドロップ位置の領域に移動すると共に、前記ドロップ位置の領域に表示する画像を前記ドラッグ位置の領域に移動して、前記２つの画像を入れ替えた後の入れ替え画像を生成し表示する。
【０００６】
好ましくは、前記集約条件毎のテンプレートをあらかじめ記憶しておき、ユーザが指示する集約条件を受け付けて、指示された集約条件に対するテンプレートを前記表示部に表示すると共に、前記取得部で画像を取得する毎に該画像を前記テンプレートにはめ込んで前記集約状態の画像を生成して表示する。例えば画像を読み取る毎に、表示部に表示するテンプレートに順にはめ込んで表示する。
【０００７】
また好ましくは、前記表示部には、前記取得部で取得した画像を縮小したサムネイル画像を表示するためのサムネイル表示領域を設け、ユーザが指示する集約条件を受け付けて、指示された集約条件に対するテンプレートを前記表示部に表示すると共に、前記サムネイル表示領域に表示したサムネイル画像へのユーザの選択を受け付ける画像選択部を設けて、前記画像選択部で選択された画像を前記テンプレートにはめ込んで、前記集約状態の画像を生成して表示する。
さらに好ましくは、前記指示受付部が集約条件の変更を受け付けると、変更後の集約条件に従って集約状態の画像を生成して表示する。
【０００８】
この発明の画像処理装置のプログラムは、画像を取得する画像取得部と、画像を記憶する画像記憶部と、該記憶された画像から表示画像を生成する画像生成部と、生成した画像を表示する表示部とタッチ位置の入力を受け付ける入力部とを設けたタッチパネルと、を備えた画像処理装置のプログラムであって、前記画像処理装置に、取得した画像を集約するための集約条件の指示を受け付ける機能と、前記指示された集約条件に従い、前記記憶する複数の画像を集約した集約状態の画像を、前記画像生成部で作成して前記表示部に表示する機能と、前記表示した集約状態の画像上でユーザがドラッグ アンド ドロップした場合に、前記タッチパネルの入力部は、ドラッグ位置とドロップ位置とを取得する機能と、前記ドラッグ位置の領域に表示する画像を前記ドロップ位置の領域に移動すると共に、前記ドロップ位置の領域に表示する画像を前記ドラッグ位置の領域に移動して、２つの画像を入れ替えた後の入れ替え画像を生成し表示する機能と、を実行させる。
【発明の効果】
【０００９】
複数のスキャンした画像及び受信した画像などを１枚の用紙に縮小し集約して出力する場合に、プレビュー表示の画面を見ながら、表示画面上でＤ＆Ｄしてユーザが決めた配置で画像を並び替えることができる。そのため、ユーザが所望する配置で複数の画像を１枚の用紙で出力でき、出力後に集約の仕上がりを一々確認する必要がない。またユーザはタッチパネルに触れて実際の画像の入れ替え作業のように指を動かして縮小画像を入れ替えるので、望まない配置での集約コピーなどの出力がほとんど無くなる。
【００１０】
例えば読み取りった画像をサムネイル表示すると、ユーザはここから画像を選択してテンプレートにはめ込むことができる。ユーザは画像を選択して、表示画面上でさらに画像を並べ替えできる。また、集約条件を途中で変更すると、その後は変更後の集約条件で出力できる。
【図面の簡単な説明】
【００１１】
【図１】実施例の複合機の構成を示す図
【図２】実施例の、集約コピー時に読み取り画像を並び替えるための並び替えプログラムの構成を示すブロック図
【図３】実施例での、集約コピーの表示と並び替えの処理を示すブロック図
【図４】実施例での、集約コピー時のプレビュー画面を示す図
【図５】実施例での、集約コピー時の画像を並び替えるためのプレビュー画面を示す図
【図６】変形例での、集約コピー時の画像の削除と並び替えとを示す図
【図７】別変形例での、集約コピー時のプレビュー表示とサムネイル表示とを示す図
【図８】実施例での、集約コピー時のプレビュー画面上で画像をＤ＆Ｄする際のアルゴリズムを示すフローチャート
【発明を実施するための形態】
【００１２】
以下に、発明を実施するための最適実施例を示す。
【実施例】
【００１３】
図１〜図８に、実施例を示す。図１に、画像処理装置としての複合機２の構成を示す。複合機２は、複写機として原稿を読み取って自機でプリントし、あるいはネットワークスキャナとして画像を他機へと送信する。また複合機２は、公衆電話回線網（ＰＳＴＮ）に接続され、Ｇ３ファクシミリとして機能し、またＬＡＮ４を介してメールサーバ６及びルータ８等と接続され、メールサーバ６及びルータ８を介してインターネット１０と接続して電子メール等の送受信を行う。１２は、ＬＡＮ４に接続されたパーソナルコンピュータ等の通信端末装置で、１４は、ＬＡＮ４に接続されたプリンタである。
【００１４】
図１において、２０は主制御部で、２２はＬＡＮインターフェース、２４はＧ３ファクシミリ機能処理部で、公衆電話回線網（ＰＳＴＮ）を介し、Ｇ３ファクシミリ等の送受信などを行う。２６はインターネットファクシミリ機能処理部で、例えば電子メール形式でインターネットファクシミリの送受信を処理する。２８はネットワークススキャナ機能処理部で、３０はネットワークプリンタ部、３２はコピー機能処理部である。また３４はタッチパネルで、ＬＣＤ等の表示部３５と位置入力部３６とを備え、読み取り画像を表示すると共にユーザの入力を受け付ける。
【００１５】
３８は画像の取得部で画像を読み取りあるいは受信し、画像記憶部４０で取得した画像を記憶する。画像生成部４２は、記憶部４０から読み出した複数の画像を「４in１」などの集約条件に合うように縮小し、テンプレートにはめ込むなどの編集を施してプレビュー画像としてＬＣＤ３５に表示する。読み取り画像のサムネイル画像を表示する場合は、プレビュー画像とサムネイル画像とを生成してＬＣＤ３５に表示する。なお、読み取り画像を集約したプレビュー画像やサムネイル画像は、複合機２のＬＣＤ３５で表示するほかに、ＬＡＮ４に接続する他のパーソナルコンピュータ１２などに表示しても良い。
【００１６】
ＲＡＭ４４は、取得した画像及びその他のデータを記憶する。またＲＯＭ４６は、複合機２に必要なプログラムを記憶し、特に集約コピー時にプリント対象の複数の画像を集約して表示し、プレビュー画面上でＤ＆Ｄで画像を並び替えるために必要なプログラム５０を記憶する。
【００１７】
図２に、集約コピー時の読み取り画像を並び替えるためのプログラム５０の概要を示す。読み取り画像の並び替えプログラム５０はＣＤ−ＲＯＭなどの媒体に記憶され、複合機２及びパーソナルコンピュータ１２などで実行される。集約条件毎のテンプレートに読み取り画像を縮小してはめ込んでＬＣＤ３５に表示すると共に、ユーザの指示に従い縮小画像を並び替えて表示する。また読み取り画像をサムネイル画像で表示し、サムネイル画像から集約コピーする画像のユーザ選択などを受け付ける。このプログラム５０は、読み取り画像を集約コピーでプリントするための集約条件の指定を受け付けるための命令５２と、指定された集約条件で複数の読み取り画像を縮小し集約して表示するための命令５４と、集約した画像を並び替えるためのユーザのＤ＆Ｄによる入力を受け付けるための命令５６とで構成されている。さらに、読み取り画像をサムネイル表示するための命令５８と、集約コピーする画像をユーザがサムネイル表示から選択する場合の、ユーザの選択を受け付けるための命令６０とで構成されている。
【００１８】
図３に、実施例での処理の流れを示す。複合機２は、ユーザによる読み取り画像の集約コピーの指示と、集約コピー対象の画像の選択と受け付ける（Ｓ１０〜Ｓ１２）。コピー対象の画像を選択した後に、集約コピーを指示しても良い。また画像を選択させるのではなく、読み取った画像を順に集約してプリントしても良い。なお集約する画像の選択及び集約コピーの指示等は、ユーザがタッチパネル上で行う（）。
【００１９】
次に集約条件の設定が必要であれば、ユーザは「２in１」及び「４in１」などの集約条件をタッチパネルから選択する（Ｓ１３）。ここで集約条件を設定せずに、デフォルト値を用いても良い。デフォルト値は、たとえば読み取り画像が２枚または３枚の場合に「２in１」、４枚以上の場合に「４in１」などと、あらかじめ定めることができる。さらに集約コピーの指示時にユーザがすでに集約条件を設定済みであれば、この集約条件を用いる。
【００２０】
そして集約条件に合わせてコピー対象の画像を縮小し、集約条件毎のテンプレートにはめ込んだ画像を生成して（Ｓ１４）、ＬＣＤに表示する（Ｓ１５，Ｓ１６）。ユーザはタッチパネル上でＤ＆Ｄして、テンプレート内の縮小画像を並べ替えて縮小画像の集約位置を変更する（Ｓ１６）。タッチパネルの位置入力部がＤ＆Ｄによるカーソル位置の位置情報を取得し、カーソル位置の変更の有無及びカーソル位置の移動先が他の縮小画像の領域内であることなどを検出する。ドラッグした縮小画像を、ドロップ先の領域の縮小画像と入れ替えて、並び替え後の画像を表示する（Ｓ１４〜Ｓ１６）。
【００２１】
図４に、ＬＣＤ３５の表示画面７０を示す。表示画面７０には、処理の履歴を示すアイコンを表示する履歴表示領域７２と、プリント対象画像の表示領域７４と、集約コピーなどの処理を選択するための処理選択領域７６と、プリント結果を表示するプレビュー表示領域７８とを設ける。図において、表示領域７４に６枚の画像が読み取られてプリント対象であることを表示し、プレビュー表示領域７８に、「４in１」で４枚分の画像を左上から右下方向の順に並べた集約状態の画像８０を表示する。実施例では画像を４枚毎に集約するので、５枚目と６枚目の画像は集約コピーの２枚目でプリントする。ここでは５枚以上の画像を集約して出力する場合も一旦設定した集約条件を保持し、集約コピーの２枚目の上部２／１の面積に５枚目と６枚目とを集約してプリントする。５枚目のプリント時に、例えば「２in１」の集約状態でプリントするなどと集約条件が変更されれば、２ページ目に５枚目と６枚目の２枚の画像を集約してプリントする。
【００２２】
なお図４の実施例では、縮小した画像を「４in１」のテンプレートにはめ込んだ後に、４枚毎に集約した画像８０を表示する。プレビュー表示領域７８に「４in１」のテンプレートをあらかじめ表示しておき、画像の読み取り順に縮小画像を生成してテンプレートに順にはめ込んで表示しても良い。
【００２３】
図５に、ＬＣＤ３５に表示された画像８０について、４枚目の縮小画像を移動して１〜３の位置にＤ＆Ｄする様子を示す。ユーザが例えば１の画像の位置に４の画像をＤ＆Ｄすれば、１と４とが入れ替わる。
【００２４】
図６と図７とに、変形例を示す。図６に、Ａ〜Ｄの縮小画像の４枚目をゴミ箱アイコン８２にＤ＆Ｄして破棄する様子を示す。そして５枚目の読み取り画像を４枚目の画像としてＡ，Ｂ，Ｃ，Ｅの順に画像を集約する。さらにユーザは画像Ａと画像Ｅとを入れ替えて、Ｅ，Ｂ，Ｃ，Ａの順に並べ替えることなどができる。
【００２５】
図７の変形例では、表示画面７０にサムネイル表示領域８４を設け、読み取り画像のサムネイル画像８６を表示する。ユーザはサムネイル表示された６枚の画像から集約する画像を選択し、さらに並べ替えることができる。図８では、ユーザはサムネイル画像８６からプレビュー表示領域７８のテンプレート８１内へと、集約コピーする画像（Ａ，Ｃ，Ｂ，Ｄ）を順にＤ＆Ｄし、その後にＢとＤとを並べ替える。さらに不要な画像をゴミ箱アイコン８２へＤ＆Ｄしても良く、画像の選択と縮小画像の入れ替えとを組み合わせて任意の並びで集約コピーできる。また集約コピーが複数枚にわたる場合には、ボタン８８，９０で別ページを表示させ、全体の集約状態を確認した後にプリントしても良い。
【００２６】
図８に、実施例の複合機での縮小画像の並べ替えの処理を示す。ユーザはタッチパネルに表示された縮小画像を、指及びタッチペンでＤ＆Ｄし画像を並び替える。図において、移動したい画像の領域上でドラッグし（Ｓ２０）、次にドロップしたい位置まで移動させてこの位置を取得し、この位置が他の縮小画像の領域内であるか否かを検出する（Ｓ２１，Ｓ２２）。そして他の縮小画像の領域内でのドロップであれば、ドラッグした縮小画像をドロップした領域にはめ込むと共に、この領域の画像をドラッグした縮小画像の元の領域に移し替える（Ｓ２３）。ドロップを検出せず、ドラッグ後にカーソル位置の変更を検出し（Ｓ２１，Ｓ２４）、さらにカーソル位置の移動先が他の縮小画像の領域内であれば、集約位置を変更できる旨を表示する（Ｓ２５，Ｓ２６）。ユーザが所望する集約状態に縮小画像が集約されていれば、プリントし、集約状態の画像を保存し、あるいは他機へと転送するなどして出力する（Ｓ２４）。
【００２７】
実施例では、以下の効果が得られる。
１．読み取り画像の集約コピー時に、指定の集約条件（Ｎ in １)に従って読み取り画像を縮小してプレビューするので、ユーザはプリント前に集約状態を確認できる。
２．テンプレート内の画像を、ユーザの所望する配置にＤ＆Ｄして並び替えできる。ユーザはプリント前に、全体の配置状態などをプレビュー画面上で確認できる。
３．ユーザは、たとえば画像が読み取り順に並んでいるかをチェックし、全体の配置状態などを確認した後にプリントできる。プリント前に仕上がり状態を確認できるので、プリントの失敗を減らせる。
４．ユーザは各ページの読み取り画像の配置を見ながら、Ｄ＆Ｄでタッチパネルにタッチして画像の並び順を変更するので、実際にプリントしたときのイメージが把握しやすい。５．ユーザは、読み取り順にかかわらず、見やすい状態にするなどの任意の順番に画像を並び替えることができる。
６．タッチパネル上で、並べ替えたい画像をドラッグでき移動先へドロップするので、画像を移動させるイメージと実際の処理とが一致する。
７．ユーザは集約条件を指定でき、一旦設定した集約条件で読み取り画像を集約コピーできる。
８．コピー途中で集約条件を変更できる。また、読み取り画像が２枚または３枚で例えば「２in１」、４枚以上で「４in１」などをデフォルト値としても良い。
９．画像の読み取りが終了した後に、指定された集約条件でプレビュー表示しても良く、あるいはあらかじめテンプレートを表示しておき、ここに読み取った画像を順にはめ込んで表示しても良い。
１０．読み取り画像をサムネイル表示し、ここから集約コピーの画像を選択できる。また選択後に画像を削除し、また並べ替えができる。
【符号の説明】
【００２８】
２          複合機
４          ＬＡＮ
６          メールサーバ
８          ルータ
１０        インターネット網
１２        パーソナルコンピュータ
１４        プリンタ
２０        主制御部
２２        ＬＡＮインターフェース
２４        Ｇ３ファクシミリ機能処理部
２６        インターネットファクシミリ機能処理部
２８        スキャナ機能処理部
３０        プリンタ機能処理部
３２        コピー機能処理部
３４        タッチパネル
３５        ＬＣＤ
３６        位置入力部
３８        画像取得部
４０        画像機億部
４２        画像生成部
４４        ＲＡＭ
４６        ＲＯＭ
５０        画像の並び替えプログラム
５２        集約条件の指定を受け付けるための命令
５４        読み取り画像を縮小して表示するための命令
５６        Ｄ＆Ｄによる入力を受け付けるための命令
５８        サムネイル表示するための命令
６０        ユーザの選択を受け付けるための命令
７０        表示画面
７２        履歴表示領域
７４        プリント対象画像の表示領域
７６        処理選択領域
７８        プレビュー表示領域
８０        集約した画像
８２        ゴミ箱アイコン
８４        サムネイル表示領域
８６        サムネイル画像
８８，９０  タッチパネルのボタン
【図１】
2010161679.tif 000003
【図２】
2010161679.tif 000004
【図３】
2010161679.tif 000005
【図４】
2010161679.tif 000006
【図５】
2010161679.tif 000007
【図６】
2010161679.tif 000008
【図７】
2010161679.tif 000009
【図８】
2010161679.tif 000010